(57)【要約】【課題】使用者に対する視認性をさらに向上させ、使用者に違和感を抱かせることのない空気調和機を提供する。【解決手段】  空気の状況を検知する検知センサと、検知センサによる検知結果を表示する表示部と、表示部を制御する制御手段とを備え、表示部は、異なる色で発光する複数の発光素子を表示ブロック単位として、複数の表示ブロックを備え、各表示ブロックは空気の状況を示す方向に配列され、制御部は、前記検知センサの検知結果に応じて、各表示ブロック毎に複数の発光素子中、少なくとも１つの色の発光素子を駆動する空気調和機とする。【選択図】図５
2010019430.tif 000002
【特許請求の範囲】
【請求項１】
空気の状況を検知する検知センサと、
前記検知センサによる検知結果を表示する表示部と、
前記表示部を制御する制御手段とを備え、
前記表示部は、異なる色で発光する複数の発光素子を表示ブロック単位として、複数の表示ブロックを備え、各表示ブロックは空気の状況を示す方向に配列され、
前記制御部は、前記検知センサの検知結果に応じて、各表示ブロック毎に複数の発光素子中、少なくとも１つの色の発光素子を駆動することを特徴とする空気調和機。
【請求項２】
前記複数の表示ブロックにおける各色の発光素子は、空気の状況が良好であることを表示する第１発光素子と、空気の状況が良好でないことを表示する第２発光素子と、当該２色の発光素子の間に位置し、中間を表示する中間発光素子とを備えることを特徴とする請求項１記載の空気調和機。
【請求項３】
前記制御手段は、検知センサの検知結果に応じて、１つの表示ブロックの２つの発光素子を点灯又は点滅駆動することを特徴とする請求項１又は２記載の空気調和機。
【請求項４】
前記制御手段は、請求項３記載の空気調和機において、前記検知センサによる空気の状況変化が検知されると、前記２つの発光素子を点灯又は点滅駆動させている表示ブロック位置を、状況変化の方向に応じてシフトさせるようにして駆動することを特徴とする空気調和機。
【請求項５】
請求項２記載の空気調和機において、
制御手段は、前記検知センサによる検知結果に応じて、
各表示ブロックにおいて前記第１発光素子又は前記第２発光素子を駆動することで表示ブロック間に表示色の境界を表示する状態と、
前記１つの表示ブロックの前記中間発光素子を駆動し、他の表示ブロックは、前記中間発光素子を駆動している表示ブロックを境にして、前記第１又は前記第２発光素子を駆動する状態とを交互に切り換えるように制御することを特徴とする空気調和機。
【請求項６】
請求項５記載の空気調和機において、
制御手段は、各表示ブロックにおける第１又は第２発光素子を駆動し表示色の境界を表示している状態で、検知センサが空気の状況変化を検知すると、前記境界に隣接している表示ブロックの前記第１又は前記第２発光素子の駆動に代えて、前記中間発光素子を駆動することを特徴とする空気調和機。
【請求項７】
請求項５記載の空気調和機において、
前記制御手段は、前記中間発光素子を駆動している表示ブロックを境にして他の表示ブロックの第１又は第２発光素子を駆動する状態で、検知センサが空気の状況変化を検知すると、前記１つの表示ブロックにおいて前記中間発光素子の駆動に代わり、前記検知センサの状況変化を示す方向に係る前記第１又は前記第２発光素子を駆動し、当該１つの表示ブロックとそれに隣接する他の表示ブロック間に表示色の境界を表示させるようにしたことを特徴とする空気調和機。
【請求項８】
請求項１記載の空気調和機において、
制御手段は、前記検知センサによる検知結果に応じて、各表示ブロック毎に１つの発光素子を駆動することで表示色が異なる隣接する表示ブロック間における駆動される発光素子間の不点灯領域が、表示色が同一の隣接する表示ブロック間における駆動される発光素子間の不点灯領域よりも大きくなるように制御することを特徴とする空気調和機。
【請求項９】
制御手段は、前記検知センサが空気の状況変化を検知すると、異なる色の発光素子を駆動させた表示ブロック間における前記不点灯領域がシフトするように各表示ブロックの発光素子の駆動を制御することを特徴とする請求項８記載の空気調和機。
【発明の詳細な説明】
【技術分野】
【０００１】
本発明は、使用者に装置の動作状況等の種々の情報を知らせる表示装置にかかり、特に動作状況を容易に使用者に視認できるようにした表示装置、またその表示装置により空気調和機における空気を調和する状況を使用者に視認できるようにした空気調和機に関する。
【背景技術】
【０００２】
室内の空気には、塵埃や花粉、タバコの煙や呼気等といったように、人に不快又は有害とされる様々な物質が含まれている。近年では、住宅が気密化されていることから、そのような有害な物質が室内に滞り易い。そのため、室内の窓を適宜開放して自然換気を行っている。しかし、最近の大気汚染のひどい地域や、花粉症を患っている人が居る家庭や職場では、自然換気を思うように行えないのも実情である。このような状況下で、空気の浄化を行う空気浄化機能を備える空気調和機でもある空気清浄機が注目され広く普及するようになった。
【０００３】
また、室内環境の快適性を総合的に考慮するならば、室内に浮遊する塵埃やハウスダスト、雑菌、花粉等に対処する他、さらにはストレスや疲労の回復等、多面的な対応が求められている。これらを満足するためにも空気中に浮遊する塵埃やハウスダスト、雑菌、花粉等を取り除く空気清浄機には、人をリラックスさせイオンを発生させるイオン発生機能をも合わせ持つようなってきた。このイオンを利用し、さらに細菌等を除菌、殺菌できるようにもなってきた。
【０００４】
上記の空気清浄機において、さらに室内で爽快に過ごすためには、室内環境を整えることも必要となる。その一つの要因としては、湿度が大きく左右する。この湿度は、一般的に４０〜６０％が適湿といわれている。湿度が低いと、ウィルスなどの活動が活発になり、風邪の原因ともなる。また、湿度が高すぎると、不快感、湿気によるカビの発生の原因となる。これらの問題を解消するために加湿装置は非常に有効なものとなる。そのため、上記空気清浄機等に加湿機能を付加し、更なる快適性の向上を図るものが提案され、一般的に普及している。
【０００５】
以上のような空気清浄機において、空気を浄化する状況を表示装置を用いて表示させるものが提案されている。例えば、空気の汚れを検知するための光電式粉塵検知器を備え、該検知器の検知状況に応じて空気中の汚れ度合いを表示する表示装置を設けている。この空気清浄機が動作することで、動作開始時に検知された空気の汚れ度合いに対応した当初の汚れ表示に対し、空気が清浄化されていくことで、検知状況の変化に対応し表示形態を変えるようにしている。これは、粉塵等による空気の汚れ度合いだけでなく、タバコやその他の臭いによる空気の汚れを清浄化する状況も同様にして表示できる。このような表示装置を備えるものとして、例えば特許文献１、２に記載された空気清浄機が提案されている。
【０００６】
特許文献１記載の空気清浄機によれば、表示装置として、帯状に配列した２色発光のＬＥＤを多数設け、このＬＥＤの点灯色や点灯数を変えることで、空気の汚れ度合いを表示している。
【０００７】
また、特許文献２は、「緑色」「琥珀色」「赤色」の表示素子（ランプ）を設け、空気の浄化状態を、1つの表示素子を点灯させて空気の浄化状態を表示させている。空気の浄化状態を表示させているときに、空気の浄化が進むと、進んだ方向の色を一定時間点滅させ、その後、点滅した色の表示素子を点灯させ、その他の色の表示素子を消灯させている。そのため、点滅している状態を目視することで、浄化の状態が変化している状態を把握できる。
【特許文献１】特許第３６６６９３９号公報
【特許文献２】特開２０００−２８３５３３号公報
【発明の開示】
【発明が解決しようとする課題】
【０００８】
以上、特許文献１および２に記載のものにおいては、空気清浄機が動作することで、粉塵検知器の検知状態に応じて、室内空気の清浄化状態を表示するようにしている。
【０００９】
例えば、特許文献１記載の空気清浄機によれば、粉塵の検知結果に応じて複数のＬＥＤの発光色を一端部より変えていくようにしている。そのため、空気の汚れがない場合と、汚れが最大の場合の表示状態を容易に認識できる。しかし、汚れ状態に応じて、単に発光されるＬＥＤの個数が帯状に変化するだけであるため、汚れ状態が中間段階にある場合には、その表示状態を視認しても、現在の汚れ状態の違いをすばやく、明確に認識することができなかった。また、空気清浄機が動作していても、ＬＥＤの個数が変化するだけで、実感として浄化していく状態を十分に使用者に伝えることができていない。
とくに、人間の官能に結びつきやすい空気中の臭いについてはその感じ方に個人差が比較的小さく、人間の官能と臭いの検知結果の表示とがほぼ整合し、違和感を抱くことは少ない。しかし、人間の官能に結びつきにくい空気中の埃については、その感じ方に個人差が大きく、人間の官能と埃量検知結果の表示にずれが生じやすい。そのため、埃量による汚れ状態の表示について、その中間段階の表示を容易に認識できなければ、ユーザ（使用者）は空気が清浄化される経緯を容易に把握することができず、空気清浄機能が正常に働いているかどうか疑問を抱くということがある。
【００１０】
一方、特許文献２によれば空気清浄機が動作しているときに、浄化が進むと、今まで点灯していた発光素子とは別の発光素子を点滅させ、その後点滅させていた発光素子を点灯させ、今まで点灯していた発光素子を消灯させている。この場合、点滅させることで使用者に注目させる点での効果が増すものの、浄化が進む経過を逐次、使用者に表示させることができない。つまり、空気の汚れ具合の方向性が認識できるとしても、徐々に浄化されていく過程を表示にて使用者に理解させることはできない。
【００１１】
以上のように従来の空気清浄機の表示装置によれば、表示を目視しても、空気が浄化していく過程を充分に視認することができず、単に奇麗になっていくといったことが表示により漠然と理解できるだけであるため、実際に空気が浄化されていく状況と、表示内容との間で使用者が認識する感覚に大きなずれが生じ、空気清浄機能が正常に働いているかどうか疑問を抱くということがあった。そのため、表示装置を設けても、使用者に訴える役割が、充分に発揮させるに至っていないのが現状である。従って、現状での表示装置は、使用者に対し空気清浄機により部屋全体に対する汚れの度合いが少なくなっていく様を充分に表現できておらず、空気の浄化度合いを違和感なく実感することができなかった。
【００１２】
以上のように従来の空気清浄機による空気の浄化状態を表示させる装置においては、異なる色の表示素子の組合せにより浄化されていく方向性、また段階的に浄化されていく形態で表示させることができる。しかし、使用者に空気清浄機が動作している状況を、分かりやすくアピールできているとは思えない。すなわち、特許文献１によれば、汚れ状態を示す表示素子の個数の変化で、ある程度段階的な汚れ具合を認識できるとしても、表示素子の個数の変化が、小さい場合には一見するだけでは変化前後の状況を識別し難いため、汚れ具合の程度の違いを素早く認識することは難しく、今の表示段階での状況を使用者に充分にアピールできているとは思えない。
また、特許文献２によれば、空気の汚れ度の移行状態を使用者に知らせることができるとしても、空気清浄機が設置された部屋全体での空気の浄化状態を充分に表示させることはできない。
このように、空気の浄化状態の変化の途中の段階が容易に認識できないと、使用者は空気清浄機能が正常に働いているかどうか疑問を抱くということがあった。
【００１３】
本発明においては、使用者が表示装置を目視することで、表示内容が変化していく状況を容易に認識できる表示形態を提供する。
また、本発明によれば、使用者に表示内容を目視する注目度を上げる表示形態を提供するものである。特に、変化状況を変化に富んだ表示形態で表示させ、注目度を上げるようにしている。さらに、本発明によれば、使用者が表示内容を見ることで状況の変化の方向性だけでなく、全体に対する度合い（割合）を容易に認識でき、表示装置としての役割を充分に発揮できる装置を提供するものである。また、本発明は、空気調和機に上述した本発明の表示装置を用いることで、空気の調和状況を逐次表示でき、装置が正常に動作している状態を使用者に認識できるようにすることを目的とする。
【００１４】
また、本発明は、上述した表示装置を空気調和機に適用することで、空気調和機が動作していることによって空気が清浄化されていく状況を、表示装置により使用者に分かりやすく、容易に視認可能にすることを目的とする。
【課題を解決するための手段】
【００１５】
上記目的を達成するために、本発明に係る空気調和機は、空気の状況を検知する検知センサと、検知センサによる検知結果を表示する表示部と、表示部を制御する制御手段とを備え、表示部は、異なる色で発光する複数の発光素子を表示ブロック単位として、複数の表示ブロックを備え、各表示ブロックは空気の状況を示す方向に配列され、制御部は、検知センサの検知結果に応じて、各表示ブロック毎に複数の発光素子中、少なくとも１つの色の発光素子を駆動させるものである。
また、本発明に係る空気調和機は、各表示ブロックごとの発光素子の駆動態様や発光色を変化させて、空気の状況を表示するものである。
【発明の効果】
【００１６】
本発明の表示装置を備えた空気調和機によれば、室内空気の汚れ状況等の変化を分かりやすく表示することで使用者に対する視認性を向上させることが可能となり、使用者に空気調和機の運転状況、空気の状態等を分かりやすく知らせることができる。
また、本発明の空気調和機によれば、種々の態様等を付加することで、以下に記述する種々の効果を奏することができる。
【発明を実施するための最良の形態】
【００１７】
以下、図に基づき本発明の実施の形態を説明する。ここでは、空気清浄機に備えられる表示装置を例に説明するが、空気清浄機に限定されるものではなく、空気を取り込んでその空気の状態を調整する除湿機、加湿機、冷房機、暖房機、あるいはこれらの機能を複数備えた装置など、空気調和機全般に適用が可能である。加えて、表示装置を備える装置全般に適用できることはいうまでもない。例えば、装置本体の動作状況等を把握するための表示装置や複数のレベル表示を行う表示装置等に適用できることは勿論である。
【００１８】
図１は、本発明による空気清浄機本体の外観を示す正面視の斜視図である。また図２は、図１に示す空気清浄機の中央部より切断した側面断面図を示し、図３は空気清浄機の空気の流れを説明するために模式的に示した断面図である。
【００１９】
まず、図１において空気清浄機の概要を説明する。空気清浄機１は、室内の適所に配置されて運転される。適所としては、室内の床上、また壁に掛けられたりする。この空気清浄機１は、ベース１１の支持により筐体１０が立設されている。筐体１０の前面は、前面パネル１２により覆われている。筐体１０の背面には、図２に示すように外部の空気を取り込む吸気口１０ａが形成されている。また筐体１０の上面後方部には吹出口１０ｄが形成されている。筐体１０の上面前方部には、ユーザ（使用者）が操作を行うための操作パネル１３が設けられている。また筐体１０の側面部には、着脱することが可能な給水タンク１５が装着されている。また前面パネル１２には室内空気の状況を表示するための本発明における空気モニター表示パネル（表示装置）１４が設けられている。この空気モニター表示パネル１４については、後に詳細に説明する。
【００２０】
操作パネル１３には、電源をオン／オフするための電源ボタンや、空気浄化機能の運転設定を行うための空気浄化設定ボタンや、加湿機能の運転設定を行うための加湿設定ボタンや、イオンの放出をオン／オフするためのイオン放出ボタン、発生させるイオンの種類を切り替えるイオン切替ボタン、空気モニター表示パネル１４の表示／非表示を切り替える表示切替ボタン等の操作ボタンと、操作されたボタンに応じて空気清浄機の動作状態を表示するため表示部が設けられている。この表示部は、電源ボタンのオン／オフ操作に対応し点灯／消灯で表す電源表示、空気浄化運転ボタンや加湿空気浄化運転ボタンの操作に従った運転モードを選択し、運転モード等の運転状況を示す表示部、運転モードの風量を切り替えるボタン等が設けられている。
例えば、空気浄化設定ボタンや加湿空気浄化運転ボタンが押され、空気浄化運転モードや加湿空気浄化運転モード等にて動作を行い、風量切替ボタンが押される度に、風量自動、風量弱、風量強といったように空気浄化の運転モードが切り替わる。このように切り替わった運転モードを表示する表示部等が設けられている。
【００２１】
次に、筐体１０の内部の構造について図２及び図３を参照して説明する。筐体１０の内部には、吸気口１０ａと吹出口１０ｄを連通する通風路が形成されており、その通風路中には通風するための送風機３の一部が設けられている。上記通風路は、送風機３の一部を境にし、吸気口１０ａと送風機の一部との間が吸気風路１０ｂとして、送風機の一部と吹出口１０ｄとの間が排気風路１０ｃとして構成されている。
【００２２】
上記吸気風路１０ｂには、吸気した空気を浄化するための空気清浄フィルタ２が設けられている。つまり、筐体１０の背面に対応して設けられている吸気口１０ａに対応した位置に空気清浄フィルタ２が配置されている。従って、送風機３が駆動されることで、吸気口１０ａより空気が吸い込まれ、空気清浄フィルタ２を通過する。この空気は、吸気風路１０ｂを通り、排気風路１０ｃを経由し吹出口１０ｄより吹き出される。そして、図２に示すように、排気風路１０ｃには、イオン発生器１６が設けられている。そのため、イオン発生器１６が動作すれば、イオン発生器１６で生成されたイオンが、吹出口１０ｄから外部に吹き出される空気と共に放出される。
上記送風機３は、モータ３ａとファン３ｂとを有している。送風機３を構成するファン３ｂは、上記通風路中に配置されており、該ファン３ｂを回転させることにより、上記吸気口１０ａを介して空気を取り込み、吹出口１０ｄより空気を吹き出す。
【００２３】
吸気口１０ａと空気清浄フィルタ２の間、つまり空気清浄フィルタ２の上流側には、図２、図３に個々に示していないが温度センサ４１、湿度センサ４２、埃センサ４３、臭いセンサ４４といったセンサ類１７（図２参照）が適所に設置され、室内の空気の状況を検知している。温度センサ４１は室内空気の温度を検出し、湿度センサ４２は室内空気の湿度を検出する。埃センサ４３は発光素子と受光素子からなり、室内の空気中に浮遊する塵埃等の粒子を検出する。臭いセンサ４４は金属酸化物からなるセンサ表面にガスが吸着すると抵抗値が変化することを利用した半導体ガスセンサであって、室内空気中の臭い成分を検出する。センサ類１７の検知結果は、後に詳述する空気モニター表示パネル１４に表示される。なお、上記埃センサ４３、臭いセンサ４４等は、従来より周知のものであって、本発明において特別な構成を有するものではない。
【００２４】
上記空気モニター表示パネル１４には、図５に示すように現在の湿度レベルを表示する湿度モニター５１と、ニオイのレベルを表示するニオイモニター５２と、埃・ハウスダストのレベルを表示するハウスダストモニター５３と、後述するイオン発生器の運転状況を表示するイオンモニター５４と、ハウスダストモニター５３が動作している状態を表示するハウスダストモニターマーク表示部５５とを有している。この空気モニター表示パネル１４は、空気清浄機１本体の前面パネル１２に設けられているため、就寝時等、室内を暗い状態にしたい場合、その表示が邪魔になることがある。その場合は、操作パネル１３に設けられた表示切替ボタンを操作することにより、空気モニター表示パネル１４の表示素子を消灯し、非表示にすることができる。
【００２５】
このように、操作ボタンや運転状況を表示する操作パネル１３とセンサ類１７の検出値に基づいて現在の空気の状況を表示する空気モニター表示パネル１４を区分けして、別々に表示することにより、ユーザ（使用者）は知りたい項目を容易に視認でき、すばやく必要な情報を入手することが可能となる。また上記のように区分けして表示するため、それぞれの表示に要するスペースが小さくなるため、操作パネル１３、空気モニター表示パネル１４を配置する際の自由度が向上し、デザイン性が向上する。
【００２６】
一方、上記吸気した空気を浄化するための空気清浄フィルタ２は、筐体１０に着脱可能に装着されている。例えば、吸気口１０ａを構成する背面部が筐体１０に対して着脱可能となっており、この背面部を取り外すことで空気清浄フィルタ２を着脱できる。また、空気を浄化（清浄）するための空気清浄フィルタ２は、例えば、所定の枠内に、空気の吸い込み側から順に、空気中の大きな塵埃を捕集するプレフィルタ、活性炭等を用いて空気中の脱臭を行う脱臭フィルタ、および空気中の塵埃を捕集する集塵フィルタが組み込まれた３層構造になっており、吸気口１０ａから取り込まれた空気中に含まれる塵埃や臭い成分が除去される。
【００２７】
空気清浄フィルタ２を通過した空気は、筐体１０の下部に設けられた加湿ユニット１８に流入する。加湿ユニット１８は、空気清浄フィルタ２と送風機３のファン３ｂとの間の吸気風路１０ｂ中に設けられている。加湿ユニット１８は着脱可能に装着された給水タンク１５と、貯水容器５と、吸水フィルタ７と、内部に吸水フィルタ７を保持する回転ドラム４と、回転ドラム４を回転駆動する駆動機構９とにより構成されている。
【００２８】
上記貯水容器５の一端には、図１に示す給水タンク１５を装着するためのタンク装着部が設けられている。給水タンク１５は、内部に貯水可能な箱型容器であって、タンク装着部に装着されることにより、貯水容器５に対して給水を行い、貯水容器５にはほぼ一定量の水が貯水されるようになっている。
【００２９】
貯水容器５の側壁には、一対のアーム６が互いに対向して設けられており、該アーム６によって、回転ドラム４の回転軸が支持されている。また、吸水フィルタ７は、吸水性を有する材質、例えばポリスチレン発泡体から形成され、回転ドラム４内に保持され、該回転ドラム４が回転することで回転される。上記アーム６に支持された回転ドラム４の最下部は、貯水容器５の底面から僅かに離れた位置になるように配置されており、回転が阻害されることはない。
【００３０】
また、上記駆動機構９は、駆動ギア９４とローラ９５ａを有している。ローラ９５ａの下部は、回転ドラム４に接触しており、駆動機構９の駆動モータのモータ軸が上記駆動ギアと連結されている。そのため、駆動軸が回転することにより、駆動ギア９４が回転し、ローラ９５ａが回転される。そして、ローラ９５ａと接触している回転ドラム４が回転される。
【００３１】
駆動機構９が回転ドラム４を回転させることにより、回転ドラム４に保持される吸水フィルタ７も回転し、それに伴い吸水フィルタ７の下部が、順次、貯水容器５の水に浸かることにより、吸水フィルタ７全体が湿潤する。そして、吸水した吸水フィルタ７を吸気された空気が通過することにより、空気が加湿される。これにより、設定された湿度状態に空気を加湿することができる。
【００３２】
また吸水フィルタ７は、回転ドラム４の空洞の円筒部に対応して、ほぼ円筒状に形成されているが、円周部の一部が切り欠かれた形状になっている。すなわち、部分的に半径方向の長さが短くなった非浸漬部が形成されている。切り欠かれた部分の大きさ、つまり回転ドラムの回転中心から非浸漬部の周端までの長さは、回転ドラムの回転中心から貯水容器の水面までの距離よりも短くなるように設定されている。従って、回転ドラム４が回転され吸水フィルタ７の非浸漬部が下向きになった状態では、貯水容器５内の水に、吸水フィルタ７が浸からないようになっている。
よって、操作パネル１３の操作ボタンにより加湿切モードに設定された状態や、湿度が高いため加湿をしない場合には、吸水フィルタ７の非浸漬部が下向きになる位置で回転ドラム４が停止される。この状態では、吸水フィルタ７が貯水容器５の水に浸からず吸水することはないため、加湿ユニット１８を通過する空気は加湿されることがない。このように、回転ドラム４の回転および停止を切り換えることにより、加湿するかしないかを切り換えることができる。
【００３３】
さらに、空気清浄機１の排気風路１０ｃに設けられているイオン発生器１６は、対向配置された放電電極間に高電圧を印加し、放電させることにより、イオンを排気風路１０ｃに放出する。イオン発生器１６は発生させるイオンの種類を切り換えることができ、プラスイオンのみ、マイナスイオンのみ、またはプラス及びマイナスイオンを発生させることが可能である。発生させるイオンは、操作パネル１３に設けられたイオン切替ボタンを操作することにより、自由に設定、選択することができる。
プラスイオンおよびマイナスイオンを含む空気が吹出口１０ｄから放出されることにより、室内の殺菌や臭いを除去したり、マイナスイオンのみを放出してリラクゼーション効果を得たりすることができる。このように、吹出口１０ｄに通じる排気風路１０ｃに、イオン発生器１６を配置することにより、送風機３との衝突によるイオンの消滅を防止することができる。なお、イオンを発生する電極のみを排気風路１０ｃに面して配置し、イオン発生器１６自体（電源部など）については、別の位置に配置してもよい。
【００３４】
以上空気清浄機１の構成について説明した。この空気清浄機１について、続いて図４を参照し、上述した空気の浄化、またイオンを含む空気の放出、さらに空気清浄機１の動作を制御し、また制御状況や空気の状態を表示するための本発明に係る表示装置の表示状態を制御する制御回路について説明する。図４は、空気清浄機１の動作にまつわる主要構成をブロック図で示す。空気清浄機１の全体の動作は制御部４０によって制御される。制御部４０には、加湿に係る回転ドラム４を回転させるための駆動機構９を動作させる駆動機構制御回路４５、空気の流れを作る送風機３のモータ３ａの回転動作を制御するファンモータ駆動回路４６、及び、必要なイオンを放出するイオン発生器１６を駆動制御するイオン発生器駆動回路４７が接続されている。制御部４０には、また温度センサ４１、湿度センサ４２、埃センサ４３、臭いセンサ４４といったセンサ類１７が接続され、各センサによる検出値は、制御部４０に送られる。
【００３５】
駆動機構制御回路４５、ファンモータ駆動回路４６、イオン発生器駆動回路４７には、操作パネル１３上の各種操作ボタンからの入力操作や、また温度センサ４１、湿度センサ４２、埃センサ４３、臭いセンサ４４からの検出値に基づいて制御する制御部４０から指令が送られる。これにより、駆動機構制御回路４５、ファンモータ駆動回路４６、イオン発生器駆動回路４７を介して駆動機構９、送風機３、イオン発生器１６が駆動される。
【００３６】
埃センサ４３は、先に説明したように受光素子と発光素子が備えられており、この受光素子は、発光素子が発する光を、外気を介して受光する。またそのときの受光素子における照度が検出されるようになっている。ホコリが多いほど受光素子で検出される照度は小さくなることから、空気中のホコリの量を間接的に検出することが可能となっている。
【００３７】
臭いセンサ４４は、外気に触れるように所定の酸化物半導体が設けられており、この酸化物半導体の表面に臭気を有するガスが吸着・反応することにより生じる電気抵抗変化を検出するものである。これにより、臭気を有するガスの濃度を検出することが可能となっており、ひいては、空気中における臭いの強さを間接的に検出する臭気センサとしての機能を果たすことが可能となっている。
【００３８】
また、制御部４０には、操作パネル１３に設けられている各種運転モードを選択操作するための各種操作ボタン４８、該操作ボタンの操作状態や運転モード等の状態等を表示する動作表示素子４９、および空気モニター表示パネル１４による空気の浄化状況の表示を行うためのモニター表示素子５０がそれぞれ接続されている。操作パネル１３の操作ボタン４８は、先に説明したように電源をオン／オフするための電源ボタン、空気浄化機能の運転を行うための空気浄化運転ボタン、加湿空気浄化機能の運転を行うための加湿空気浄化運転ボタン、風量の強さを切り替える風量ボタン、イオンの放出をオン／オフするためのイオン放出ボタン、発生させるイオン種を切り替えるイオン切替ボタン、また空気モニター表示パネル１４の表示／非表示を切替える表示切替ボタン等が含まれる。
【００３９】
操作パネル１３上に設けられる動作表示素子４９は、電源ボタンの操作に従った電源のオン／オフを点灯／消灯で表す電源表示用ＬＥＤ、空気浄化設定ボタンの操作に従った空気浄化の運転モードを点灯で表す空気浄化運転モード表示用ＬＥＤ、加湿空気浄化運転ボタンの操作に従った加湿の運転モードを点灯で表す加湿運転モード表示用ＬＥＤ、風量の強さを示す表示用ＬＥＤ、発生させるイオン種を示す表示用ＬＥＤ等が含まれる。そして、本発明の表示装置である空気モニター表示パネル１４のモニター表示素子５０は、空気の浄化状況を表示するための後で詳細する複数の発光素子であるＬＥＤから構成される。なお、ここでは操作パネルおよび表示パネルの表示にＬＥＤを用いて説明しているが。ＬＥＤ以外の発光素子を用いてもよい。
【００４０】
ここで、操作パネル１３上の各種操作ボタン４８、例えば空気浄化機能や加湿空気浄化の運転選択を行うための空気浄化運転ボタン及び加湿空気浄化運転ボタンや風量を切り替えるボタンが押される度に、風量自動、風量弱、風量強といったように風量モードが切り替わり、そのモードを示すＬＥＤが駆動され、運転モードや風量設定が表示される。そのため、使用者の操作に従った操作ボタン４８からの入力は、制御部４０に送られ、そのモードに応じた制御が実行されると同時に、その動作モードが動作表示素子４９によって表示される。
【００４１】
そして、制御部４０は、操作パネル１３とは別に設けられた空気モニター表示パネル１４のモニター表示素子５０である複数のＬＥＤを、各種センサ類１７の検知状況に応じて駆動制御する。このモニター表示素子５０は、図５〜図１２を参照して後で詳細する現在の湿度を数値で表示する湿度表示部３１、臭いの強さを表示するニオイ表示ＬＥＤ３２、埃やハウスダストのレベルを表示するハウスダスト表示ＬＥＤ３３、イオン発生のオン／オフを点灯／消灯で表示するイオン発生表示ＬＥＤ３４、ハウスダストモニターマーク表示ＬＥＤ３５から構成される。
【００４２】
以上説明した動作表示素子４９、モニター表示素子５０の各種ＬＥＤは、制御部４０からの指令に従って点灯／消灯する。それらのうち湿度表示部３１は、湿度センサ４２からの検出値に基づき、ニオイ表示ＬＥＤ３２は臭いセンサ４４の検出器に基づき、ハウスダスト表示ＬＥＤ３３は埃センサ４３の検出値に基づき、イオン表示ＬＥＤ３４はイオン発生器１６の動作に対応して、駆動制御される。
【００４３】
次に空気モニター表示パネル１４である本発明の表示装置の構成について詳細に説明する。本発明の表示装置は、先にも簡単に説明したが、センサ類１７による空気のモニターリング結果を表示し、その表示内容により、空気の状況を容易に把握できるように視認性を向上させるようにしたものである。
センサ類１７は、本発明における空気の状況を検知するものであって、以下のように埃センサ４３による空気の状況変化を検知し、ハウスダストモニター５３によってその状況を表示させるようにしている。温度センサ４１、湿度センサ４２、臭いセンサ４４等で検知した結果を表示するモニターとして使用しても、使用者に分かりやすい表示が可能であるが、以下では、埃センサ４３の検知結果の表示を例として説明する。
【００４４】
図５は、先にも簡単に説明したが表示装置に係る空気モニター表示パネル１４の構成を説明するためのものである。空気モニタ表示パネル１４は、湿度モニター５１、ニオイモニター５２、煙り、花粉、ホコリ等による空気の汚れ度合いを表示するためのハウスダストモニター５３、イオン発生状況を表示するイオンモニター５４、またハウスダストもモニター５３が動作している状態を表示するハウスダストモニターマーク表示部５５から構成される。図５は、空気モニター表示パネル１４の前面に配置され透過部材を構成する透過シート８５を示す。該透過シート８５の背面部分には、後で詳述する各種表示に用いる発光素子であるＬＥＤ（３２，３３，３４，３５）が、配置されており、これらＬＥＤを用いて表示を行っている。また、湿度モニター５１に対応して数値を表示するＬＥＤ等からなる湿度表示部３１が配置されている。
【００４５】
図５によれば、透過シート８５内に黒で示した部分（図面上では黒で印刷した部分／ただし符号は除く）は、光を透過する透光部であり、それ以外の白地部分が遮光部であり、その部分が遮光処理されている。例えば、透明なシートに図５に示す白地部分を黒色印刷することで構成される。
【００４６】
まず、透過シート８５のハウスダストモニター５３は、埃センサ４３の出力電圧状態に応じてハウスダストのレベルを表示するためのものである。本発明においては、レベルを視認しやすくするために、ダイヤ（ひし形）形状の透光部（５３Ａ−ｒ〜５３Ｄ−ｇ）を１２個、直線的にほぼ等間隔に並べている。また、各透光部は、連続する３個を一組（１ブロック）として区分しており、本発明ではＡ〜Ｄの４組の表示ブロックに区分している。つまり、Ａブロックを第１表示ブロック５３Ａとし、Ｂブロック、Ｃブロック、Ｄブロックを、それぞれ第２表示ブロック５３Ｂ、第３表示ブロック５３Ｃ、第４表示ブロック５３Ｄに区分している。これら各ブロックのそれぞれの透光部（５３Ａ−ｒ〜５３Ｄ−ｇ）は、各ブロック毎に大きな隙間を設けることなく連続的に形成されており、全長としてコンパクトにまとめるようにしている。これにより、表示パネル全体の大きさをコンパクトにしている。また、各ブロックの３個の透光部には、上部が緑色（ｇ）、中央部が黄色（ｙ）、下部が赤色（ｒ）の後に説明するＬＥＤが対応して設置されている。図５において便宜上、各透光部には、それぞれの色が付けられていないが、各色のＬＥＤに対応させて、符号５３Ａ−ｒ〜５３Ｄ−ｇで示している。
【００４７】
次に、ニオイモニター５２について説明する。ニオイモニター５２には、一例として同心円とした３重円の透光部が形成されており、ニオイの状況を表示するようにしている。ニオイモニター５２には、１つのＬＥＤが対応して設けられ、ニオイの検知状況に応じて色が変化し、透光部を通して表示する構成となっている。このニオイモニター５２の透光部は、３重円でなく、その他の形状、例えば多角形、楕円形等、３重でなく、１重等、種々のもので対応できる。ニオイモニター５２としては、ハウスダストモニター５３の透光部とは異なる形状とすることで、表示形態が異なり、その表示対象となる区別が明確化する。つまり、同一形状であれば、ハウスダストモニターの延長と誤認され、使用者に間違った表示を提示し、視認性が悪くなることが考えられる。そのため、異なる形状とすれば、誤認が軽減でき、また視認性を更に高めることができる。
【００４８】
続いて、湿度モニター５１は、横長の長方形で囲った部分が透光性となっており、その背面に湿度センサで検知した湿度値を表示する湿度表示部３１が配置されている。そのため、湿度センサで検知された湿度が湿度モニター５１で表示され、使用者が読み取ることができる。上記湿度表示部３１は、２桁の日文字にて数値を表示できるＬＥＤであってもよいが、液晶表示装置で構成されたものであってもよい。要するに、湿度を表示できる表示部であれば、数値を表示するものでなくてもよい。
【００４９】
さらに、イオンモニター５４は、湿度モニター５１の下部に形成されており、イオン発生器１６によるイオン発生状況を示すためのものである。イオンモニター５４には、図に示すように円形状態の透光部が形成されており、背面に設けられたＬＥＤ（３２）からの発光色を透過する。例えば、イオン発生器１６にてイオンが発生されるとＬＥＤが点灯される。また、イオン発生器１６が、各種のイオン、例えば正イオン、負イオン、あるいは正負イオンを選択的に発生させることができるのであれば、それらを区別できるように、多色ＬＥＤが、イオンモニター５４の背面側に設けられる。
【００５０】
また、図５において、透過シート８５の文字の部分（ハウスダストモニター、ニオイ、湿度、イオン）は遮光処理部の上に、背景（遮光部または透光部）の色とは異なる色で印刷表記されており、光の透過がなくても視認しやすくなっている。
【００５１】
次に、図５で説明した透過シート８５に対し、その背面に設けられる各種発光源（発光素子）であるＬＥＤと、上述した各モニターとの対応関係について、図６を参照して詳細に説明する。
【００５２】
図６は、表示装置である空気モニター表示パネル１４の表示ユニット８０の構造を示すもので、（ｂ）は表示ユニット８０の正面からの平面図であり、（ａ）は（ｂ）におけるＸ−Ｘ線の断面図を示す。この図６によれば、表示ユニット８０は、背面側に各種ＬＥＤが電気的に接続された駆動制御回路を含む基板８３を保持するための支持サポート８１を有し、前面には光透過部材からなる透過カバー８２を備えて構成されている。そして、該支持サポート８１と透過カバー８２で、透過シート８５を挟み込むようにして支持し、空気モニター表示パネル１４が構成される。
支持サポート８１に保持された基板８３の上部には、透過シート８５における「ハウスダストモニター」の文字部分に対応してマーク表示ＬＥＤ３５が設けられている。該マーク表示ＬＥＤ３５は、単色発光素子であり、例えば緑色発光のＬＥＤが使用される。
【００５３】
次に、マーク表示ＬＥＤ５５の下方部に連続して設けられる１２個のＬＥＤ３３は、先に説明したハウスダストモニター５３におけるダイヤ形状の１２個の各透光部に対応して設けられる発光素子である。この各ＬＥＤ３３は、各表示ブロックと対応させて３個を１ブロックとして区分され、下側よりＡ、Ｂ、Ｃ及びＤの４つのブロックに区分されている。上記Ａブロックとして割り当てられた第１表示ブロック５３Ａ構成してなる３個のＬＥＤは、上部、中央、下部のものが、緑色（ｇ）、黄色（ｙ）、赤色（ｒ）発光のＬＥＤで、符号３３Ａ−ｇ、３３Ａ−ｙ、３３Ａ−ｒとして以下に説明する。その他、第２表示ブロック５３Ｂ、第３表示ブロック５３Ｃ及び第４表示ブロック５３Ｄを構成してなる各３個のＬＥＤ３３についても、同様に緑色、黄色、赤色発光のＬＥＤからなる。
ここで、各表示ブロック（５３Ａ〜５３Ｂ）の各色のＬＥＤについて、上部のＬＥＤ（３３Ａ−ｇ〜３３Ｄ−ｇ）は、空気の状況が良好である状態（空気の汚れが少ない状態）を表示し、下部のＬＥＤ（３３Ａ−ｒ〜３３Ｄ−ｒ）は、空気の状況が良好でない（空気が汚れている）状態を表示し、またその中間に位置する中央部のＬＥＤ（３３Ａ−ｙ〜３３Ｄ−ｙ）は、その中間状態を表示するものとして利用される。
【００５４】
上記４つに区分された第１表示ブロック５３Ａ〜第４表示ブロック５３Ｄのそれぞれの１２個のＬＥＤ３３Ａ−ｒ〜３３Ｄ−ｇは、先に説明した透過シート８５の第１表示ブロック５３Ａ〜第４表示ブロック５３Ｄのそれぞれの１２個のダイヤ形状の透光部５３Ａ−ｒ〜５３Ａ−ｇのほぼ中心部分に対応して設けられている。従って、ブロック間でのＬＥＤは、大きな隙間で配線されることなく、ブロック内での配線間隔とほぼ同一の間隔で配線（配列）されている。本発明の各ＬＥＤは、後でそれぞれの実施形態における制御例を示すが、埃センサー４３の検知結果に応じて、各ブロック毎において、少なくとも１つのＬＥＤが点灯（モニター表示するために駆動されているとき）され、また場合によっては、１つのブロックにおいて２個のＬＥＤが点滅、又は点灯制御されることがある。
【００５５】
マーク表示ＬＥＤ３５及びハウスダストモニターのための１２個の表示ＬＥＤ３３Ａ−ｒ〜３３Ｄ−ｇは、個々に発光部側が保持さるように位置付ける支持サポート８１に一体成形されている取付部に保持され、位置決められている。この取付部につながる側壁６１が透過シート８５側へと延設されており、この側壁６１は導光部としても機能する。また側壁６１は透過シート側が広がるように傾斜がつけられている。
【００５６】
また、ニオイモニター５２に対応する位置には、ニオイのレベルを表示するためのニオイ表示ＬＥＤ３２が配置されている。ニオイ表示ＬＥＤ３２の取り付け位置は、透過シート８５のニオイモニター５２に設けられている１つの同心円状の３重円の中心部に対応している。ニオイ表示ＬＥＤ３２は、多色発光ＬＥＤからなり、例えば「緑」「橙」「赤」等の色で発光する。
【００５７】
ニオイ表示ＬＥＤ３２はその発光部側が支持サポート８１に形成された取付部に位置付けられる。この取付部には、透過シート８５の直近まで延設されている側壁６４が一体成形されている。この側壁６４においても、透過シート側が広がるように傾斜がつけられており、導光部としても機能する。
【００５８】
上記ニオイ表示ＬＥＤ３２を駆動制御するために、臭いセンサ４４による検出結果の情報が、制御部４０に伝送される。そして制御部４０では、臭いセンサ４４による検出結果（酸化物半導体の抵抗値）を、予め定められた２個の閾値と比較する。これにより現状の外気（空気）におけるニオイの強さ（臭気ガスの濃度）が、３段階に評価されることとなる。
【００５９】
そしてこの比較の結果、ニオイが最も弱いと評価された場合は、ニオイ表示ＬＥＤ３２を緑色に発光させる。また同様に、その次に弱いと評価された場合は、橙色に発光させ、最もニオイが強いと評価された場合は、赤色に発光させることにより、ニオイのレベルを表示する。このように、表示状態が緑色に近いほどニオイは弱く、赤色に近いほどニオイは強いことを示すため、ユーザ（使用者）にとっては、空気中のニオイの状態を直感的に把握できるようになっている。
【００６０】
次に、湿度モニター５１では、湿度センサで検知された湿度を示す数値が表示される。そのため、湿度モニター５１に対応する位置、つまり透過シート８５の背面側には、先に説明したように基板８３上に湿度表示部３１設けられている。この湿度モニター５１では、吸気口１０ａから取り込まれた空気の湿度センサ４２による湿度検知結果に基づいて、現在の室内（空気清浄機周辺）の湿度が湿度表示部３１を介して表示される。
【００６１】
最後に、空気モニター表示パネル１４におけるイオンモニター５４に対応する部分には、その中央部分にイオン発生器１６によるイオン放出のオン／オフを表示するためのイオン表示ＬＥＤ３４が設けられている。このイオン表示ＬＥＤ３４は、イオン発生器１６の動作状況を表示させるものであり、イオン放出の場合に、オン（ＬＥＤを点灯）し、イオン放出を行わない場合にはオフ（ＬＥＤを消灯）している。
また、イオン発生器１６から発生されるイオンの種類によって、点灯色を変えてもよい。例えば、プラスおよびマイナスイオンの両方が発生されている場合には、「青」を点灯させる。マイナスイオンだけを発生させていれば「緑」、プラスイオンだけを発生させていれば「赤」を点灯させて、発生されているイオンの種類を表示するようにしてもよい。
イオン表示ＬＥＤ３４は、その発光部分がイオンモニター５４に対応するように支持サポート８１に一体成形された取付部に取り付けられている。そして支持サポート８１の取付部には、透過カバー８２まで延設している側壁６２が形成されており、この側壁６２は導光部として機能する。
【００６２】
なお、本発明とは直接関係しないが、上記支持サポート８１は、少なくとも表面が光を透過することなく光を反射（乱反射を含む）する構成である。そのため、ＬＥＤの取付部や側壁部の表面に反射体が形成されるか、それ自身が光を透過しない部材にて形成することもできる。このような構成とすることで、ＬＥＤからの光が効率よく透過シート８５を透過させることができる。
【００６３】
表示ユニット８０を構成してなる支持サポート８１は、各種ＬＥＤを所定位置に取り付けるための取付部、側壁６１,６４等を一体成型してなる構造として図６に示している。しかし、一体成型によるものでなく、支持部、取付部および導光部等を別部材で構成し、全体として図６に示すような構造になるように組み上げてもよい。
【００６４】
つぎに、各表示モニターにおける空気モニター結果の表示制御について、図４のブロック図を含めて説明する。
まず、空気清浄機１の電源をＯＮし、空気を浄化する清浄運転が開始される。このとき、室内の空気が空気清浄機１の背面の吸気口１０ａより吸気され、センサ類１７で空気の状況が検知される。このとき、湿度モニター５１では、吸気口１０ａから取り込まれた空気の湿度センサ４２による湿度検知結果に基づいて、制御部４０を介して現在の室内（空気清浄機周辺）の湿度が表示される。そのため、湿度表示部３１が駆動され、湿度センサ４２の検知結果に基づいて、湿度を示す数値で表示するように制御される。これにより、湿度状態を使用者が視認できるように、湿度モニター５１で湿度の数値が表示される。
【００６５】
また、ニオイモニター５２は、臭いセンサ４４の検出結果に基づいて、ニオイの強さのレベルを表示する。ニオイ表示ＬＥＤ３２は、複数色ＬＥＤであり、臭いセンサ４４の検出値に基づく出力電圧状態に応じて緑色、赤色またはこれらの混合色である橙色に発光する。
すなわち臭いセンサ４４による検出結果の情報は、制御部４０に伝送される。そして制御部４０では、臭いセンサ４４による検出結果（酸化物半導体の抵抗値）を、予め定められた２個の閾値と比較する。これにより現状の外気（空気）におけるニオイの強さ（臭気ガスの濃度）が、３段階に評価される。
【００６６】
この比較の結果、ニオイが最も弱いと評価された場合は、ニオイ表示ＬＥＤ３２を緑色に発光させる。また同様に、最もニオイが強いと評価された場合は、赤色に発光させ、中間のレベルと評価された場合は、それらの混合色である橙色に発光させることにより、ニオイのレベルを表示する。このように、表示状態が緑色に近いほどニオイは弱く、赤色に近いほどニオイは強いことを示すため、ユーザ（使用者）にとっては、空気中のニオイの状態を直感的に把握できるようになっている。
【００６７】
さらにイオンモニター５４は、操作パネル１３上のイオン発生スイッチをＯＮすることで、イオン発生器１６が駆動され、例えば除菌のためにプラスおよびマイナスイオンが生成されていれば、生成されたイオンは、フィルタ等を介して清浄化された空気と共に、吹出口１０ｄより吐出される。その状況を表示するために、イオン表示ＬＥＤ３４が「青」で点灯され、イオンを放出している状態を表示できる。
ここで、吐出されるイオンを検出するイオンセンサを吹出口１０ｄ近傍に設けて、そのイオン量を検知するようにすれば、その検知結果に応じた表示を行える。例えば、イオン表示ＬＥＤ３４に複数色ＬＥＤを用いることで、順次色を変えることでイオンの発生状況を表示できる。また、発生されるイオンの種類によって、点灯色を変えてもよい。具体的には、プラスおよびマイナスイオンの両方が発生されている場合には、「青」を点灯させ、マイナスイオンだけを発生させていれば「緑」、プラスイオンだけを発生させていれば「赤」を点灯させて、発生されているイオンの種類を表示するようにしてもよい。
【００６８】
以上の説明した動作において、本発明においては、空気清浄機が作動することで、空気が浄化されていく。その状態を使用者に容易に視認できるようにハウスダストモニター５３の表示形態が徐々に変化していく。つまり、室内の空気の汚れ度合いは埃センサ４３で検知される。埃センサ４３の検知結果は、制御部４０に伝送される。制御部４０は、埃センサ４３による検知結果（受光素子における照度）を、予め定められた８個の閾値と比較する。これにより外気（空気）におけるホコリの量が、９段階に評価され、ハウスダストモニター５３に表示される。
【００６９】
また、ハウスダストモニターマーク５５の下部に設置されたハウスダストモニターマーク表示ＬＥＤ３５も駆動される。先に説明した例では常時1色で点灯しているが、埃センサ４３の検出結果に基づき、埃の増減の変化に応じて、点灯色を変化させて表示してもよい。埃レベルに応じて、以下に詳述するハウスダストモニター５３の表示だけでなく、ハウスダストモニターマーク表示ＬＥＤ３５の色を変化させて発光させた場合には、埃レベルを大まかに把握するための目安となるような表示をすることが可能となる。
【００７０】
例えば、レベル０より順にレベル８側へ、埃レベルが増加傾向にあることを検出すると、レベル１，２へ遷移期間時にはハウスダストモニターマーク表示ＬＥＤ３５は緑色に点滅発光、レベル３から５へ遷移期間時には混合色である橙色に点滅発光、レベル６から８へ遷移期間時には赤色に点滅発光させるように制御する。埃が減少傾向にあることを検出すると、ＬＥＤ３５を点滅表示するのではなく、点灯表示状態で表示するようにすれば、空気の清浄度の経過を簡便に表示することができる。
【００７１】
（第１の実施形態における表示制御）
以下に、本発明におけるハウスダストモニター５３における空気が浄化される表示形態の一例について説明する。図７および図８は、本発明に係る表示装置の第１の実施形態を示す概略図および模式図である。
そこで、埃センサ４３で汚れが最小（埃センサ４３の出力が汚れにより最小であるレベル０の場合）であると検知されれば、ハウスダストモニター５３における第１〜第４表示ブロック（５３Ａ〜５３Ｄ）において、それぞれのブロックにおける単一の緑色ＬＥＤ（３３Ａ−ｇ、３３Ｂ−ｇ、３３Ｃ−ｇ、３３Ｄ−ｇ）が点灯され、透過シート８５を透過する光により、ハウスダストモニター全体が「緑」で表示され、空気の汚れが最小であることが表示される。
詳細は後述するが、空気が浄化され、汚れ度合いが低下していくと、各表示ブロック（５３Ａ〜５３Ｄ）では、赤色ＬＥＤ（３３Ａ−ｒ、３３Ｂ−ｒ、３３Ｃ−ｒ、３３Ｄ−ｒ）に代えて黄色ＬＥＤ（３３Ａ−ｙ、３３Ｂ−ｙ、３３Ｃ−ｙ、３３Ｄ−ｙ）を点灯させる割合が増加するように表示される。更に、汚れ度合いが、低下していくと各表示ブロック（５３Ａ〜５３Ｄ）は黄色ＬＥＤ（３３Ａ−ｙ、３３Ｂ−ｙ、３３Ｃ−ｙ、３３Ｄ−ｙ）に代えて緑色ＬＥＤ（３３Ａ−ｇ、３３Ｂ−ｇ、３３Ｃ−ｇ、３３Ｄ−ｇ）を点灯させる割合が増加するように表示される。
【００７２】
空気の汚れ状態が少ないと検出されればされるほど、第１〜第４表示ブロック（５３Ａ〜５３Ｄ）の各ＬＥＤの１つが、徐々に「赤」→「黄」→「緑」に変わっていき、その点灯個数の割合が増すように表示される。
【００７３】
空気清浄機１が動作を継続していくことで、吸気された空気が空気清浄フィルタ２等にて浄化されていく。空気が浄化されていく状況が埃センサ４３で検知され、ホコリレベルが一つ下がったと判断される毎に、それに応答して、例えば第４表示ブロック５３Ｄの発光色が「赤」→「黄」→「緑」へと順次変化して表示される。色の変化、つまり「黄」から「緑」、「黄」から「赤」等に変化した状況も容易に認識できるため、部屋全体における空気の状況にマッチした表示ができる。
【００７４】
図７は、上述した表示の変化の状態を示している。本発明における第１の実施形態として、ハウスダストモニター５３において、埃センサ４３の検知レベルに応じて、第１〜４表示ブロック（５３Ａ〜５３Ｄ）の発光色を変化させる。つまり、空気の汚れが最大レベル８から最小レベル０の９段階での表示状態を示している。
【００７５】
以下順を第1の実施形態による表示制御について追って説明する。図７において、埃センサ４３が空気の汚れのレベル８を検知すれば、制御部４０は、第１表示ブロック５３Ａ、第２表示ブロック５３Ｂ、第３表示ブロック５３Ｃの赤色ＬＥＤを点灯させ、第４表示ブロック５３Ｄについては、赤及び黄色ＬＥＤを点滅駆動する。そして、埃センサ４３にてレベル７が検知されれば、第１表示ブロック５３Ａはそのまま赤色ＬＥＤ３３Ａ−rを点灯、第２表示ブロック５３Ｂもそのまま赤色ＬＥＤ３３Ｂ−rを点灯させる。第３表示ブロック５３Ｃは黄色ＬＥＤ３３Ｃ−ｙと赤色ＬＥＤ３３Ｃ−ｒの２色を点滅させる（図８では点滅させるＬＥＤを破線で示している）。そして、第４表示ＬＥＤ５３Ｄは黄色ＬＥＤ３３Ｄ−ｙを点灯させる。
【００７６】
続いてレベル６になれば、第１表示ブロック５３Ａは赤色ＬＥＤ３３Ａ−rを点灯させる。第２表示ブロック５３Ｂは黄色ＬＥＤ３３Ｂ−ｙと赤色ＬＥＤ３３Ｂ−ｒの２色を点滅させる。第３表示ブロック５３Ｃは黄色ＬＥＤ３３Ｃ−ｙを点灯、第４表示ブロック５３Ｄは黄色ＬＥＤ３３Ｄ−ｙを点灯させる。
【００７７】
そして、さらに空気の浄化が進むに従って、レベル３になれば、第１表示ブロック５３Ａでは黄色ＬＥＤ３３Ａ−ｙを点灯、第２表示ブロック５３Ｂは黄色ＬＥＤ３３Ｂ−ｙを点灯させる。第３表示ブロック５３Ｃでは黄色ＬＥＤ３３Ｃ−ｙと緑色ＬＥＤ３３Ｃ−ｇの２色を点滅させる。第４表示ブロック５３Ｄでは緑色ＬＥＤ３３Ｄ−ｇを点灯させる。第３表示ブロック５３Ｃでは黄色ＬＥＤ３３Ｃ−ｙと緑色ＬＥＤ３３Ｃ−ｇが点滅されるため、光の境界部分の色の変化をはっきりと認識することができる。
【００７８】
上記のように、ダストレベルが以前の状態から変化した場合には、変化前のレベルを表示している際に２色のＬＥＤを点滅させていた表示ブロックでは、２色の内１色のＬＥＤを点灯させ、変化後のレベルを表示する表示ブロックでは２色のＬＥＤを点滅させる。ここで、ＬＥＤを点滅させる間隔は一定でもよいし、ダストレベルに応じて、例えばダストレベルが高い（空気が汚れている）ほど点滅させる間隔を早くする。またはダストレベルが低いほど点滅間隔を早くする等してもよい。点滅間隔をダストレベルに応じて変えた場合は、さらにユーザの注意を引き易く、分かりやすい表示を行うことが可能となる。
しかも、２色が点滅駆動されるブロック位置が、空気の状況が変化していく方向、例えば空気が良好（綺麗な状態）になっていく方向に移動、つまりシフトするように表示が変化していく。そのため、その方向を目視することで、空気の浄化が進んでいっている状態を使用者が容易に認識でき、視認することができる。
【００７９】
また、第１〜４表示ブロック（５３Ａ〜５３Ｄ）の埃センサ４３の検出結果に基づいて、埃量の検出結果により表示の方法を可変している。埃センサ４３の検出結果に基づいて、埃が増加、又は減少する方向を検出することで、第１〜４表示ブロック（５３Ａ〜５３Ｄ）の現在検出しているダストレベルに対応してＬＥＤを２色で点滅発光させ表示ブロック位置を変えている。これにより、ユーザに分かりやすくダストレベルを表示することができる。その結果、ダストレベルが変化していく状態をユーザに容易に明確に認識させることが可能となり、空気清浄機の動作状況を確実に知らせることができる。
【００８０】
ここで、上記の表示装置によれば、発光色の変化による効果に加え、発光位置の変化の効果も期待できる。図８に示すように、表示パネル１４側から目視するように、第１〜４表示ブロック（５３Ａ〜５３Ｄ）毎に、上から緑色→黄色→赤色の順でＬＥＤ（３３Ａ−ｇ,ｙ,ｒ〜３３Ｄ−ｇ,ｙ,ｒ）をそれぞれ配置しているため、表示色の違いにより点灯されるＬＥＤ位置が変化する。そして、現在のダストレベルを表示する表示ブロックでは２色で点滅表示させ、他の表示ブロックでは１色のＬＥＤを点灯表示させる。この場合、２色で点滅表示される表示ブロックの位置が、埃レベルが変化するごとに、下又は上方向に移動、つまりシフトする。それにより、さらに注目度が上がり視認性が向上する。すなわち、ユーザ（使用者）は色が変化した状況を目視し、その表示に合わせた状況を感覚的に認識する効果が助長される。
【００８１】
しかも、空気が浄化（埃が少なくなる方向）されていくと、点灯色が下部でなく上部から変化していくことで、人の感覚としてもその変化の状況を確実に捉えやすくなる。そのため、上述した効果がさらに助長されることにもなる。
なお、表示ブロックを２色発光させる場合に、それらのＬＥＤを点灯表示してもよいが、点滅表示すると、使用者の注目度がさらに高まり、効果的である。
なお、空気の状況変化に対応する表示ブロック位置のＬＥＤを２つ駆動する場合、点滅駆動させるようにしているが、これは点灯させるようにしてもよいことは勿論である。
【００８２】
（第２の実施形態による表示制御）
以上説明した表示形態とは別に、本発明のように色の異なる複数の発光素子を１組のブロックとして区分し、これら表示ブロックを複数、決められた方向に配列することで、以下に説明するような表示制御も行える。
【００８３】
図９および図１０は、本発明に係る表示装置の第２の実施形態を示す概略図および模式図である。第１の実施形態と同様の構造であるものは、同一の符号で示してある。
例えば、汚れが最大（埃センサ４３の出力が汚れにより最大であるレベル８の場合）であれば、ハウスダストモニター５３における全ての表示ブロック（５３Ａ〜５３Ｄ）では、全て赤色ＬＥＤ（３３Ａ−ｒ、３３Ｂ−ｒ、３３Ｃ−ｒ、３３Ｄ−ｒ）が点灯され、透過シート８５を透過する光により全体が「赤」で表示され、空気の汚れが最大であることが表示される。
空気の汚れ度合いが低下して（空気が良好になって）いくと、表示ブロック（５３Ａ〜５３Ｄ）では赤色ＬＥＤ（３３Ａ−ｒ、 ３３Ｂ−ｒ、３３Ｃ−ｒ、３３Ｄ−ｒ）が上部より順に、黄色ＬＥＤ（３３Ａ−ｙ、３３Ｂ−ｙ、３３Ｃ−ｙ、３３Ｄ−ｙ）に置き換わっていく。更に、汚れ度合いが、低下していくと、表示ブロックは（５３Ａ〜５３Ｄ）は、黄色ＬＥＤ（３３Ａ−ｙ、３３Ｂ−ｙ、３３Ｃ−ｙ、３３Ｄ−ｙ）が上部より順に緑色ＬＥＤ（３３Ａ−ｇ、３３Ｂ−ｇ、３３Ｃ−ｇ、３３Ｄ−ｇ）に置き換わっていき、緑色で表示する表示ブロックの割合が増加する。空気の汚れレベルが小さく検出されればされるほど、表示ブロック（５３Ａ〜５３Ｄ）が、徐々に「赤」→「緑」の割合が多くなるよう表示される。
【００８４】
以上のように空気清浄機１が動作を継続していくことで、吸気された空気が空気清浄フィルタ２等にて浄化されていく。空気が浄化されていく状況が埃センサ４３で検知され、ホコリレベルが一つ下がったと判断されれば、それに応答して、例えば第４表示ブロック５３Ｄの発光色が「赤」→「黄」→「緑」となるよう順次変化して表示される。その表示状態をユーザ（使用者）が目視すれば、全体の色の状態から室内の空間全体の空気が浄化されていることを感覚的に、視認することができる。
図９において、埃センサ４３による空気の状況が変化していく（空気が良好になっていく）にしたがって、表示色の境界を表示する状態が変化する。また、その変化に応じて、表示ブロックの１つが、表示色の境界とは別に「黄色」のＬＥＤが点灯される。これらの各表示状態が交互に切り替わるようにして移動して表示されていく。このような表示の変化により、使用者は空気の状況が変化していく方向性を容易に視認することができ、その状況等を容易に認識することができる。
【００８５】
これらの表示について図１０を参照して説明する。各表示ブロック毎に、上から緑色・黄色・赤色の順に単色ＬＥＤがそれぞれ配置されている。この図１０は、本発明の表示形態における例として、ハウスダストモニター５３において、埃センサ４３の検知レベルに応じて、第１〜４表示ブロック（５３Ａ〜５３Ｄ）の発光色を変化した状態を示す。つまり、空気の汚れが最大（８）レベルから最小（０）レベルの９段階での表示状態を示している。
【００８６】
図１０において、空気の汚れレベルが８の場合には、第１〜第４表示ブロック５３Ａ〜５３Ｄの各赤色ＬＥＤ３３Ａ−r〜ＬＥＤ３３Ｄ−rが点灯する。空気の汚れレベルがレベル７になれば、第１表示ブロック５３Ａは赤色ＬＥＤ３３Ａ−rを点灯、第２表示ブロック５３Ｂは赤色ＬＥＤ３３Ｂ−rを点灯、第３表示ブロック５３Ｃは赤色ＬＥＤ３３Ｃ−ｒが点灯状態を維持する。そして第４表示ブロック５３Ｄは黄色ＬＥＤ３３Ｄ−ｙを点灯する。
さらにレベル６では第１表示ブロック５３Ａは赤色ＬＥＤ３３Ａ−ｒを点灯、第２表示ブロック５３Ｂは赤色ＬＥＤ３３Ｂ−ｒを点灯、第３表示ブロック５３Ｃは赤色ＬＥＤ３３Ｃ−rを点灯、第４表示ブロック５３Ｄは緑色ＬＥＤ３３Ｄ−ｇを点灯する。つまり、レベル７からレベル６に清浄度が上がったことが検出されれば、第１〜第３表示ブロックはともに赤色で表示し、第４表示ブロックの表示が、黄色から緑色に変更される。
【００８７】
そして、さらに空気の浄化が進み、レベル３になれば第１表示ブロック５３Ａは赤色ＬＥＤ３３Ａ−ｒを点灯、第２表示ブロック５３Ｂは黄色ＬＥＤ３３Ｂ−ｙを点灯、第３表示ブロック５３Ｃは緑色ＬＥＤ３３Ｃ−ｇを点灯、第４表示ブロック５３Ｄは緑色ＬＥＤ３３Ｄ−ｇを点灯する。
【００８８】
発光色の境界に注目して表示を説明すると、レベル４では、第１および第２表示ブロック（５３Ａ、５３Ｂ）は、赤色で表示され、第３および第４表示ブロック（５３Ｃ、５３Ｄ）は、緑色で表示され、ダストモニター５３には表示色による境界が表示されている状態となっている。つまり、第２表示ブロック３３Ｂと第３表示ブロック５３Ｃの間に表示色による光の境界が存在する。このレベル４から一段階ハウスダストレベルが変化した場合には、この光の境界に隣接する第２又は第３表示ブロックの表示色が変化する。この場合、第２又は第３表示ブロックの黄色ＬＥＤ３３Ｂ−ｙ又はＬＥＤ３３Ｃ−ｙが点灯する。
【００８９】
具体的には、レベル４の状態から、ハウスダストレベルが上がりレベル５になった場合には、変化前（レベル４）の状態では、緑色表示していた第３表示ブロック５３Ｃを黄色表示に変化させ、残りの第１、２および４表示ブロック（５３Ａ、５３Ｂ、５３Ｄ）は変化前（レベル４）と同じ色で表示させる。
反対に、レベル４の状態から、ハウスダストレベルが下がりレベル３になった場合には、変化前（レベル４）の状態では、赤色表示していた第２表示ブロック５３Ｂを黄色表示に変化させ、残りの第１、３および４表示ブロック（５３Ａ、５３Ｃ、５３Ｄ）は変化前（レベル４）と同じ色で表示させる。
【００９０】
そして、全表示ブロックが赤色表示の場合、隣接ブロックにおいて点灯しているＬＥＤ間は（ブロック間の隙間を無視すると）ＬＥＤ２個分の間隔が空いている。埃レベルが低下するに従い、上方の表示ブロックから色が、赤色から黄色を経由して緑色へと変わっていく。例えば、レベル６からレベル５になった場合は第３表示ブロック５３Ｃの表示が赤色から黄色へ変化し、第１，２表示ブロック（５３Ａ、５３Ｂ）は赤色表示し、第４表示ブロック５３Ｄは緑色表示しており、第３表示ブロック５３Ｃを境にして異なる色のＬＥＤが点灯される。さらにレベル４になった場合は、それに応じて第３表示ブロック５３Ｃの表示が黄色から緑色に変化し、第１、２表示ブロック（５３Ａ、５３Ｂ）は赤色表示し、第３、４表示ブロック（５３Ｃ、５３Ｄ）は緑色表示しており、第２表示ブロック５３Ｂと第３表示ブロック５３Ｃに表示色の境界が現れる。この表示の変化が交互に切り替わっていくようにして、移動（シフト）していくので、変化の過程が容易に認識できるようになる。
【００９１】
詳しく説明すると、レベル８を表示する場合には、第４表示ブロック５３Ｄの表示部（赤色、３３Ｄ−ｒ）と第３表示部ブロック５３Ｃの表示部（赤色、３３Ｃ−ｒ）の間隔がＬＥＤ２個分となる。この表示部の間の部分は、不点灯領域４０（図１０では不点灯領域の表示を一部省略している）として暗く見える。
レベル７を表示する場合には、第４表示ブロック５３Ｄの表示部（黄色、３３Ｄ−ｙ）と第３表示ブロック５３Ｃの表示部（赤色、３３Ｃ−ｒ）の間にある不点灯領域４０の間隔がＬＥＤ３個分となり、レベル６を表示する場合には、第４表示ブロック５３Ｄの表示部（緑色、３３Ｄ−ｇ）と第３表示ブロック５３Ｃの表示部（赤色、３３Ｃ−ｒ）の間にある不点灯領域４０の間隔がＬＥＤ４個分となる。
つまり、レベル８表示からレベル７、さらにレベル６表示に移行する場合には、単に第４表示ブロック５３Ｄの発光色が赤色から黄色、緑色に変化するだけでなく、表示部の間隔（不点灯領域４０）も変化することとなる。
【００９２】
そして、ハウスダストレベルが改善されれば、それに応じて不点灯領域４０が下方に徐々にシフトするように表示される。つまり、レベル６からレベル５、レベル４に変化した場合には表示間隔が大きくなるように変化する不点灯領域４０（小さくなるように変化する不点灯領域４０）は、第３表示ブロック５３Ｃと第２表示ブロック５３Ｂ間（第４表示ブロック５３Ｄと第３表示ブロック５３Ｃ間）に現れ、レベル４からレベル３、そしてレベル２へ変化する場合には、表示間隔が変化する不点灯領域４０は、第２表示ブロック５３Ｂと第１表示ブロック５３Ａ間（第３表示ブロック５３Ｃと第２表示ブロック５３Ｂ間）に現れることとなる。このように、ダストレベルが改善されると、表示色の変化と表示間隔の変化に加え、不点灯領域４０が下方にシフトするように表示されるため、さらに視認性が向上し、ユーザが表示の変化を容易に認識できるようになり、室内の空気の状況を正確に知ることが出来るようになる。
以上のように、空気が浄化されていくに従って、「赤色」と「緑色」の表示色の境界を表示するようなときには、不点灯領域４０の間隔が大きくなまる。また、その表示色の境界において、１つの表示ブロックを「黄色」で表示している状態（レベル５や３の状態）では、上下において、同一の間隔である不点灯領域４０が存在する。このように、これらが交互に切り替えられて表示され、境界位置、又は「黄色」で表示され表示ブロック位置が移動（シフト）する。この変化状態が、発光色や不点灯領域の変化とシフトとして表れ、非常にわかりやすく表示されることになり、より使用者による視認効果が高まる。
【００９３】
（第３の実施形態の表示制御）
図１１および図１２は、本発明に係る表示装置の表示例による第３の実施形態を示す概略図および模式図である。第１の実施形態と同様の構造であるものは、同一の符号で示してある。
【００９４】
例えば、汚れが最大（埃センサ４３の出力が汚れにより最大である場合）であれば、ハウスダストモニター５３における全ての表示ブロックは（５３Ａ〜５３Ｄ）の全てで赤色ＬＥＤ（３３Ａ−ｒ、３３Ｂ−ｒ、３３Ｃ−ｒ、３３Ｄ−ｒ）が点灯され透過シート８５を透過する光により全体が「赤」で表示され、空気の汚れが最大であることが表示される。
そこで、汚れ度合いが少なくなっていくと、各表示ブロックは（５３Ａ〜５３Ｄ）は赤色ＬＥＤ（３３Ａ−ｒ、３３Ｂ−ｒ、３３Ｃ−ｒ、３３Ｄ−ｒ）から、黄色ＬＥＤ（３３Ａ−ｙ、３３Ｂ−ｙ、３３Ｃ−ｙ、３３Ｄ−ｙ）に通電（駆動）される割合が増加する。さらに、汚れ度合いが、少なくなっていくと各表示ブロック（５３Ａ〜５３Ｄ）は、黄色ＬＥＤ（３３Ａ−ｙ、３３Ｂ−ｙ、３３Ｃ−ｙ、３３Ｄ−ｙ）から、緑色ＬＥＤ（３３Ａ−ｇ、３３Ｂ−ｇ、３３Ｃ−ｇ、３３Ｄ−ｇ）に通電（駆動）される割合が増加する。
【００９５】
空気清浄機１が動作を継続していくことで、吸気された空気が空気清浄フィルタ２等にて浄化されていく。空気が浄化されていく状況が埃センサ４３で検知され、ホコリレベルが下がったと判断されれば、それに応答して、各表示ブロック（５３Ａ〜５３Ｄ）が徐々に「赤」→「黄」→「緑」の割合が大きくなるよう表示される。その表示状態をユーザ（使用者）が目視すれば、全体の色の状態から室内の空間全体の空気が浄化されていることを感覚的に、視認することができる。
【００９６】
図１１、図１２には、上述した表示の変化の状態を示している。本発明における例として、ハウスダストモニター５３において、埃センサ４３の検知レベルに応じて、第１〜４表示ブロック（５３Ａ〜５３Ｄ）の発光色を順次変化した状態を示す。つまり、空気の汚れが最大（８）レベルから最小（０）レベルの９段階での表示状態を示している。
この図において、レベル７では第１表示ブロック５３Ａは赤色ＬＥＤ３３Ａ−ｒを点灯、第２表示ブロック５３Ｂは赤色ＬＥＤ３３Ｂ−rを点灯、第３表示ブロック５３Ｃは赤色ＬＥＤ３３Ｃ−rを点灯、第４表示ブロック５３Ｄは、レベル８で点灯していた赤色ＬＥＤ３３Ｄ−ｒを消灯し、黄色ＬＥＤ３３Ｄ−ｙを点灯する。
レベル６では第１表示ブロック５３Ａは赤色ＬＥＤ３３Ａ−ｒを点灯、第２表示ブロック５３Ｂは赤色ＬＥＤ３３Ｂ−ｒを点灯、第３表示ブロック５３Ｃは、レベル変化前に点灯していた赤色ＬＥＤ３３Ｃ−ｒを消灯し、黄色ＬＥＤ３３Ｃ−ｙを点灯、第４表示ブロック５３Ｄは黄色ＬＥＤ３３Ｄ−ｙの点灯を維持する。
【００９７】
上記の様に表示状態の制御を行なうことにより、図１２の様に、例えばレベル７では、隣り合うブロックの表示色が同一色であるブロック間、すなわち赤色表示している第１表示ブロック５３Ａ−第２表示ブロック５３Ｂおよび第２表示ブロック５３Ｂ−第３表示ブロック５３Ｃ間の表示部（点灯部）の間隔に比べて、隣り合うブロックの表示色が異なる色で表示されるブロック間、すなわち第３表示ブロック５３Ｃ（赤色表示）−第４表示ブロック５３Ｄ（黄色表示）間の表示部（点灯部）の間隔は広くなる。
またレベル６では、隣り合うブロックの表示色が異なる色で表示されるブロック間である第２表示ブロック５３Ｂ（赤色表示）−第３表示ブロック５３Ｃ（黄色表示）間の点灯部の間隔は、隣り合うブロックの表示色が同一色である第１表示ブロック５３Ａ(赤色表示）−第２表示ブロック５３Ｂ（赤色表示）間、第３表示ブロック５３Ｃ（黄色表示）−第４表示ブロック５３Ｄ（黄色表示）間に比べて広くなる。
【００９８】
同様に空気の汚れが最大であるレベル８から最小であるレベル０までのすべてのレベルにおいて、隣り合うブロックの表示色が異なる色で表示されるブロック間の点灯部間の間隔（不点灯領域４０）は、隣り合うブロック間の表示色が同一色であるブロック間に比べて、広くなる。
【００９９】
そして、ハウスダストレベルが改善されれば、それに応じて各ブロック間の表示間隔が変化する不点灯領域４０が下方に徐々にシフトするように表示される。例えば、レベル３では、表示間隔が通常の間隔から大きくなる不点灯領域は、緑色表示と黄色表示の間で生じ、第４表示ブロック５３Ｄと第３表示ブロック５３Ｃの間に現れる。そして、レベル２では表示間隔が通常の間隔より大きくなる不点灯領域は、緑色表示と黄色表示の間で生じ、第３表示ブロック５３Ｃと第２表示ブロック５３Ｂの間に現れる。レベル１では表示間隔が通常の間隔より大きくなる不点灯領域は、同様に緑色表示と黄色表示の間で生じ、第２表示ブロック５３Ｂと第１表示ブロック５３Ａの間に現れる。
【０１００】
そして、本実施形態では、不点灯領域を境にして、異なる色が表示されるブロックが分かれるように見えるため、全体的な色の表示割合と配置の変化が分かりやすくなり、視認性が向上する。
【０１０１】
このように、ダストレベルが改善されると、表示色の変化、表示色の割合の変化、表示間隔（不点灯領域４０の大きさ）の変化に加え、不点灯領域４０が下方にシフトするように表示されるため、ダストレベルの中間段階の表示がさらに明確になりさらに視認性が向上する。ユーザは表示の変化を容易に認識できるようになり、室内の空気の状況を正確に知ることが出来るようになる。
特に、不点灯領域４０については、発光色が異なる表示ブロック間の境界として現れることになるため、それが空気の状況の変化に応じた方向にシフトしていくため、汚れの状況を容易に視認できるだけでなく、境界位置に前後（表示では上下）の表示ブロックにおける異なる色の領域で、汚れ具合を容易に認識することが可能となる。
【０１０２】
したがって、空気の汚れの状態が変動し、汚れが大きくなっていく場合や、空気が浄化され、汚れが小さくなっていく場合において、部屋全体でのハウスダストの状況を、ハウスダストモニターの表示色の変化や割合によるだけではなく、暗く見える不点灯領域の大きさや場所の変化によっても表示するため、ユーザ（使用者）がモニター表示を目視すれば、容易に空気の状況を認識することができる。また、ユーザ（使用者）の実際の感覚と近い状態で表示がされているため、空気清浄機能の動作が正常に行なわれていることを認識することが可能となり、ユーザは空気清浄機の運転に対する疑問を抱かなくなる。
【０１０３】
以上第１、第２および第３の実施形態で説明したように、本発明による表示制御においては、装置の動作状況、特に空気清浄機においては、その空気の清浄化状況を表示させるときに、その表示状況と実際に部屋の空気が清浄化されていく状況とが、感覚的にマッチングが取れた状態でユーザ（使用者）が認識できるという効果が増す。特に、また表示の変化の状況が分かりやすく表示できる。そのため、空気清浄機能が正常に動作していることを認識することができ、清浄化されていく状態を表示形態の変化で感覚的にユーザ（使用者）が認識できる。よって、表示形態の視認性が向上できることにもなる。
【０１０４】
なお本発明における空気清浄に係る空気調和機においては、イオン発生器１６を用いてイオンを放出させている。このイオン発生器１６を本発明においては用いる必然性はない。また、イオン発生器１６においては、イオンを放出させるものとして説明したが、その他、オゾンを発生させフィルタ等の除菌に利用、またラジカル等の殺菌効果がある物質を放出させてもよい。
【０１０５】
本発明の各実施形態では、ハウスダスト表示について説明したが、それに限定されず、空気の状況を検知し、その状態を表示するものに利用できる。例えば、湿度検知に応じた湿度表示、ニオイ検知に基づくニオイ表示、またイオン発生表示等に適用できる。さらに、装置本体の動作状況等を表示するものに適用できるものであることは言うまでもない。
【０１０６】
また、本発明の各実施形態においては、第１〜４表示ブロック（５３Ａ〜５３Ｄ）の４ブロックで例示した。このブロック個数に限らず、任意のブロック数を設定してもよい。なお、１つのブロックにおける単色ＬＥＤの数を３個以上にすると、光の境界部分が複数形成されるため、好適に使用される。しかし、単色ＬＥＤの数を２個以上とすれば、本発明の目的を達成することが可能である。また、上記の実施形態では単色ＬＥＤを用いたが、２色ＬＥＤ等を複数用いてもよい。この場合、２色を同時に点滅発光させる場合には、２色ＬＥＤと単色ＬＥＤとを組み合わせて使用してもよい。
また、各ＬＥＤの発色光を、空気の汚れ度合い等が少なくなるに従って、下部に配置されるものから変化させているが、それに限定されず、任意の方向から変化させることが可能である。
また、ＬＥＤは垂直線に配置しているが、それに限定されず、全部のＬＥＤ若しくはＬＥＤの一部が、水平線、斜線、円弧、階段等の形態で配置してもよい。
また、本実施形態１〜３では、ＬＥＤに対応させて透過シート８５における透光部を配置しているが、それに限定されず、透光部とＬＥＤの配置がずれていてもよい。
【０１０７】
また、本発明の実施形態では、透過シート８５上に透光部としてダイヤ形状に形成されたものとして説明した。しかし、それらの形状に限らず、多角形や相似形、複数の直線等、任意の形状の透光部で形成してもよい。
また、ダイヤの形状を、垂直に配列するようにしているが、先に説明したように水平線、斜線、円弧、階段段状に配置する等任意の配列が考えられる。
【０１０８】
その他、透光部のダイヤ形状が上部に向かって徐々に大きくなるように形状にしてもよい。一方向に沿って透光部を徐々に大きくなるように形成すれば、ユーザ（使用者）は変化の方向を容易に理解することが可能となる。
また、本発明の実施形態に示した例では、発光素子であるＬＥＤの数に対応した数のダイヤ形状の透光部を透過シート８５に形成している。この透光部の数については、ＬＥＤの数とは、異なり少ない数または多い数の透光部を形成してもよい。透光部を通じて、ＬＥＤからの光が外部に放出されれば、透光部の形状や数はどのような形態であってもよい。
【０１０９】
この透光部、つまり透過シート８５は、本発明の表示装置には必須のものではない。つまり、ＬＥＤ等の発光色の配置や発光部の間隔（不点灯領域）の変化によって、ユーザ（使用者）は容易にダストレベルの表示を識別することが可能であるため、透過シート８５や遮光部を設けなくてもよい。ただ、ＬＥＤ、つまり発光素子を保護等の目的で、光を透過するシートを設ければよく、本発明の例で示した透過シートの構造ものを用いる必要はない。
【０１１０】
以上の通り本発明の実施形態について説明したが、本発明は係る内容に限定されるものではなく、発明の主旨を逸脱しない範囲で種々の変更を加えることが可能である。
【０１１１】
本発明においては、異なる色を発光する複数の表示素子を１組としてブロックに区分し、これらブロックを複数配列し、各ブロックの少なくとも１つの発光素子を、埃センサ４３の検知状況に応じて駆動制御している。そのため、本発明において説明した第１、第２および第３の実施形態で説明したように、種々の異なる形態での変化に富んだ表示を行える。
これに対し、特許文献１、２によれば、１つの表示形態での表示が行えるだけで、本発明で説明した第１〜第３の表示形態で示した表示を行わせることができない。そのため、本発明においては、第１〜第３の実施形態の表示を、使用者側で選択して表示させることもできる。つまり、表示形態を変える操作キー等を別途設け、使用者側で好みの第１〜第３の実施形態による表示形態を選択的に切替えることも可能となる。
【０１１２】
また、本発明の表示装置とすることで、第１〜第３の実施形態で説明した表示形態だけでなく、その他の表示形態での表示を埃センサ４３の検知状況に応じて表示できる。本発明における基本は、ブロック分けした各ブロックの1つの発光素子を駆動し、これを埃センサ４３の検知状況に応じて駆動制御すればよい。
【０１１３】
上記のように、本発明の表示装置においては、表示色を変えることにより種々の情報を表示する場合に、複雑な機構を用いることなく表示色や光の強度の変化、光の発光間隔を可変することが可能となる。
また、本発明の表示装置を空気調和機の空気の状況表示に用いた場合には、空気の状況を離散的で段階的に表示するのではなく、連続的に表示することにより、人間の官能に近い表示が可能となり、ユーザ（使用者）に違和感を与えることなく、空気清浄機能の動作を適切に認識させることができる。
また、単色ＬＥＤを配置することにより、機器のデザイン制約の自由度の向上を図ることができる。
【産業上の利用可能性】
【０１１４】
本発明は、種々の情報を表示する表示装置および例えば光電式粉塵計やガスセンサ、埃センサ等の空気の状況を検知するセンサによる検知状況を表示する表示装置を備えた空気調和機に利用可能である。
【図面の簡単な説明】
【０１１５】
【図１】本発明に係る空気清浄機の外観を示す斜視図である。
【図２】空気清浄機の内部構造を示す側面断面図（縦断面図）である。
【図３】空気清浄機における空気の流れを示す模式図である。
【図４】空気清浄機の制御動作にまつわる主要構成を示すブロック図である。
【図５】空気モニター表示パネルを示す正面図である。
【図６】空気モニター表示ユニットの構造を示す図である。
【図７】本発明による表示制御に係る第１の実施形態を説明するためのハウスダストモニターの表示状態を示す概略図である。
【図８】本発明による表示制御に係る第１の実施形態におけるハウスダストモニターの表示の遷移を示す模式図である。
【図９】本発明による表示制御に係る第２の実施形態を説明するためのハウスダストモニターの表示状態を示す概略図である。
【図１０】本発明による表示制御に係る第２の実施形態におけるハウスダストモニターの表示の遷移を示す模式図である。
【図１１】本発明による表示制御に係る第３の実施形態を説明するためのハウスダストモニターの表示状態を示す概略図である。
【図１２】本発明による表示制御に係る第３の実施形態におけるハウスダストモニターの表示の遷移を示す模式図である。
【符号の説明】
【０１１６】
１        空気清浄機
２        空気清浄フィルタ
３        送風機
４        回転ドラム
５        貯水容器
７        吸水フィルタ
９        駆動機構
１０        本体部
１０ａ      吸気口
１０ｂ      吸気風路
１０ｃ      排気風路
１０ｄ      吹出口
１１        ベース
１２        前面パネル
１３        操作パネル
１４        空気モニター表示パネル
１７        センサ類
１８        加湿ユニット
３１        湿度表示部
３２        ニオイ表示ＬＥＤ
３３        ハウスダスト表示ＬＥＤ
３４        イオン表示ＬＥＤ
３５        ハウスダストモニターマーク表示ＬＥＤ
４０        制御部
４１        温度センサ
４２        湿度センサ
４３        埃センサ
４４        臭いセンサ
４５        駆動機構制御回路
４６        ファンモータ駆動回路
４７        イオン発生駆動回路
４８        各種操作ボタン
４９        動作表示素子
５０        モニター表示素子
５１        湿度モニター
５２        ニオイモニター
５３        ハウスダストモニター
５３Ａ      第１表示ブロック（ハウスダスト表示ブロック）
５３Ｂ      第２表示ブロック（ハウスダスト表示ブロック）
５３Ｃ      第３表示ブロック（ハウスダスト表示ブロック）
５３Ｄ      第４表示ブロック（ハウスダスト表示ブロック）
５４        イオンモニター
５５        ハウスダストモニターマーク
８０        表示ユニット
８１        支持サポート
８５        透過シート
９４        駆動ギア
９５        ローラ
【図１】
2010019430.tif 000003
【図２】
2010019430.tif 000004
【図３】
2010019430.tif 000005
【図４】
2010019430.tif 000006
【図５】
2010019430.tif 000007
【図６】
2010019430.tif 000008
【図７】
2010019430.tif 000009
【図８】
2010019430.tif 000010
【図９】
2010019430.tif 000011
【図１０】
2010019430.tif 000012
【図１１】
2010019430.tif 000013
【図１２】
2010019430.tif 000014